(57)【特許請求の範囲】
【請求項１】
長く延在した第１及び第２の互いに平行な格子エレメント（ＧＥ）より成る格子から形成された補強インサート体（ＶＥ）と、面層（ＦＳ）とを有する熱収縮可能な外装具であって、
第１及び第２の格子エレメント（ＧＥ）が互いに交差して配置されており、
第１及び第２の格子エレメント（ＧＥ）がプラスチックより成っていてその交点において互いに固着結合されている形式のものにおいて、
外装具が縦方向スリットを有し、該縦方向スリットの縁部に沿って延びる閉鎖手段（ＶＰ）が設けられており、
面層（ＦＳ）と補強インサート体（ＶＥ）とが閉鎖エレメント（ＶＰ）に対して垂直な方向に延伸されていることによって、面層（ＦＳ）及び補強インサート体（ＶＥ）が閉鎖エレメント（ＶＰ）に対して垂直な方向で収縮可能であり、
面相（ＦＳ）及び補強インサート体（ＶＥ）の延伸若しくは収縮方向（ＳＲ）が、閉鎖エレメント（ＶＰ）に対して垂直な方向で、かつ第１及び第２の格子エレメント（ＧＥ）の長手方向に対して角度を成して延びていることを特徴とする、熱収縮可能な外装具。
【請求項２】
格子エレメント（ＧＥ）が菱形格子メッシュ（ＧＭＲ）を形成している、請求項１記載の熱収縮可能な外装具。
【請求項３】
平行に延在する格子エレメントが相互間隔をおいて互いに結合されており、しかも前記格子エレメント相互の横方向引離しによって格子構造が得られる、請求項１記載の熱収縮可能な外装具。
【請求項４】
少なくとも２つの補強インサート体（ＶＥＧ１，ＶＥＧ２）が互いに重なって配置されている、請求項１から３までのいずれか１項記載の熱収縮可能な外装具。
【請求項５】
補強インサート体（ＶＥ）が収縮方向（ＳＲ）に対してずらし角度（ＶＷ）をとって互いにずらされている、請求項４記載の熱収縮可能な外装具。
【請求項６】
補強インサート体（ＶＥ，ＶＥＦ）が外面層（ＦＳＡ）に固着配置されている、請求項１から５までのいずれか１項記載の熱収縮可能な外装具。
【請求項７】
補強インサート体（ＶＥ，ＶＥＦ）が内面層（ＦＳＩ）に固着配置されている、請求項１から５までのいずれか１項記載の熱収縮可能な外装具。
【請求項８】
補強インサート体（ＶＥ，ＶＥＦ）が収縮可能な面層（ＦＳ）内に配置されている、請求項１から５までのいずれか１項記載の熱収縮可能な外装具。
【請求項９】
補強インサート体（ＶＥ，ＶＥＦ）が、内面層（ＦＳＩ）と外面層（ＦＳＡ）に交互に配置されている、請求項１から５までのいずれか１項記載の熱収縮可能な外装具。
【請求項１０】
面層（ＦＳ）及び／又は補強インサート体（ＶＥ）のための材料がトリアリルシアネートのような網状結合促進剤によって網状結合されている、請求項１から９までのいずれか１項記載の熱収縮可能な外装具。
【請求項１１】
面層（ＦＳ）と補強インサート体（ＶＥ）とから成る全複合体が、網状結合されかつ延伸されている、請求項１から１０までのいずれか１項記載の熱収縮可能な外装具。
【請求項１２】
面層（ＦＳ）と補強インサート体（ＶＥ）とが、積層貼合せ前に夫々独自に網状結合されかつ延伸されている、請求項１から１０までのいずれか１項記載の熱収縮可能な外装具。
【請求項１３】
補強インサート体（ＶＥ）が２つの面層（ＦＳ）間、つまり内面層（ＦＳＩ）と外面層（ＦＳＡ）との間に配置されている、請求項１から１２までのいずれか１項記載の熱収縮可能な外装具。
【請求項１４】
格子状の補強インサート体（ＶＥ，ＶＥＦ）の格子メッシュ（ＧＭ）又は穴（Ｌ）が材料適合性の充填剤で塞がれている、請求項１から１３までのいずれか１項記載の熱収縮可能な外装具。
【請求項１５】
外面層（ＦＳＡ）の表面が、熱作用時の滴下に対して高安定化されており、つまり形状安定性を有している、請求項１から１４までのいずれか１項記載の熱収縮可能な外装具。
【請求項１６】
外面層（ＦＳＡ）の表面が耐燃性添加剤を含んでいる、請求項１から１５までのいずれか１項記載の熱収縮可能な外装具。
【請求項１７】
少なくとも１つの面層（ＦＳ）内に白蟻抵抗性添加剤を含んでいる、請求項１から１６までのいずれか１項記載の熱収縮可能な外装具。
【請求項１８】
外面層（ＦＳＡ）の表面には、目標温度に達した際に色及び／又は形状を変化するサーモインジケータが配置されている、請求項１から１７までのいずれか１項記載の熱収縮可能な外装具。
【請求項１９】
補強インサート体（ＶＥ）が目標温度に達すると交点（Ｋ）において膨隆して、面層（ＦＳ）の表面が結節状構造を呈する、請求項１から１７までのいずれか１項記載の熱収縮可能な外装具。
【請求項２０】
充填材（ＦＭ）が、熱作用によって反応する発泡剤を有しており、目標温度に達すると結節状の表面が生じる、請求項１４記載の熱収縮可能な外装具。
【請求項２１】
補強インサート体(ＶＥ，ＶＥＦ)が支持層上に配置されており、該支持層が、外装具の縦縁部を超える延長部として受け座（ＵＴ）を形成している、請求項１から２０までのいずれか１項記載の熱収縮可能な外装具。
【請求項２２】
横方向及び／又は長手方向に、網状結合不能の材料から成るガラス糸、ケヴラー糸又は木綿糸のような非収縮性の補助要素が付加的に配置されている、請求項1から２１までのいずれか1項記載の熱収縮可能な外装具。
【発明の詳細な説明】
【０００１】
【発明の属する技術分野】
本発明は、少なくとも１つの収縮可能な面層と少なくとも１つの補強インサート体とから成る熱収縮可能な外装具に関するものである。
【０００２】
【従来の技術】
機械的特性を強化するために補強インサート体を有する熱収縮可能な外装具は、例えばドイツ連邦共和国登録実用新案第７５０１９１３号明細書に基づいて公知である。しかしながら当該技術においては、外装具の収縮方向に影響を及ぼさないようにするために長手方向の補強エレメントしか使用されていない。その結果、外装具に例えば長手方向亀裂のような損傷が生じると、この損傷は止めどなく伝播していくことになる。この現象が特に危険であるのは、前記損傷が端面側縁部に生じた場合である。それというのは、収縮時に収縮力の結果、外装具の長手方向での更なる裂け込みを抑止することができなくなるからである。この問題点を解決するために、欧州特許第０１１７０２６号明細書に開示されているような製織布又は編成布が使用される。しかしながら当該技術では、収縮不能な材料内に埋め込まれた収縮可能な織布が使用されている。相応に高い機械強度を得るために、該織布内には、収縮方向に延在する収縮可能な糸以外に、第２の織布方向に延在する収縮不能の耐熱性糸も織り込まれている。この場合は耐熱性糸と長手方向の補強エレメントに沿って空隙が生じる虞れがある。
【０００３】
収縮不能の構成部分内に配置された収縮可能な構成部分を有する熱収縮可能な外装具は欧州特許第０２９９４３８号明細書に基づいて公知である。前記の収縮可能な構成部分は、網状結合（架橋）された重合体から成っており、かつネット状に形成されて拡げられている。該収縮可能な構成部分は、収縮不能の面構成部分と固着合体されるか、又は該収縮不能の面構成部分内に埋め込まれる。このような構成の場合には収縮力は、専らネット状に形成された収縮可能なネットインサート体のみによって発生される。
【０００４】
更に欧州特許第０２９９４３９号明細書に基づいて、少なくとも１つの熱収縮可能な構成部分と機械的な補強構成部分とから成る収縮可能な外装具が公知である。この場合の収縮可能な構成部分は、外装具全体にわたっている面状シートから形成され、しかも該収縮可能な構成部分はすでに拡張されている。機械的な構成部分は収縮可能な構成部分に固着結合され、しかも前記機械的な補強構成部分は、少なくとも収縮方向に延在する補強エレメントを有している。該補強エレメントは、収縮可能な構成部分の収縮に相応した変形を可能にするように成形されている。
【０００５】
【発明が解決しようとする課題】
本発明の課題は、強い機械的な応力を受けた場合に局所的な損傷又は裂傷に対して防護された熱収縮可能な外装具を、簡単に製造できるようにすると共に高い収縮力を得ることができるようにすることである。
【０００６】
【課題を解決するための手段】
前記課題を解決するための本発明の構成手段は、長く延在した第１及び第２の互いに平行な格子エレメントより成る格子から形成された補強インサート体と、面層とを有する熱収縮可能な外装具であって、第１及び第２の格子エレメントが互いに交差して配置されており、第１及び第２の格子エレメントがプラスチックより成っていてその交点において互いに固着結合されている形式のものにおいて、外装具が縦方向スリットを有し、該縦方向スリットの縁部に沿って延びる閉鎖手段が設けられており、面層と補強インサート体とが閉鎖エレメントに対して垂直な方向に延伸されていることによって、面層及び補強インサート体が閉鎖エレメントに対して垂直な方向で収縮可能であり、面相及び補強インサート体の延伸若しくは収縮方向が、閉鎖エレメントに対して垂直な方向で、かつ第１及び第２の格子エレメントの長手方向に対して角度を成して延びている点にある。
【０００７】
【作用】
従来技術に対比して本発明による外装具の格別顕著な利点は、被覆層と補強インサート体のためにほぼ等しい材料、しかもその都度の条件に適合するように補正された材料を使用することによって、如何なる問題に直面した場合でも確たる肯定的な結果が得られることである。
【０００８】
例えば、被覆層と見做すことのできる面層のためにも、補強インサート体のため同様に収縮可能な材料を使用することによって相互粘着能が改善される。このような複合体の場合には接触領域において如何なる剥離も生じることはない。良好な粘着に基づいて又、面層と補強インサート体との間の分離面に沿って、例えばガラス糸やケブラー（ｋｅｖｌａｒ）糸から成る補強インサート体の場合に生じるような有害な空隙が形成されることもない。
【０００９】
更に、亀裂その他の機械的損傷を惹起させる機械的な負荷は、本発明の補強インサート体の構造によって大体において吸収することが可能になる。補強インサート体を、交差する格子エレメントから構成した場合には損傷はその都度、１つの格子メッシュの内部において次の格子エレメントに達するまで伝播するにすぎない。この抑止作用は材料境界面の移行部によって生じ、しかも該抑止作用は、プラスチック材料の適正な選択によって又はプラスチック材料の処理によって、必要に応じて強化又は弱化させることができる。例えば材料の網状結合度合を異ならせた場合には良好な結果が生じ、この場合材料の網状結合の度合を決定するのは補強インサート体である。従って、補強インサート体が面層の外面又は内面に装着されるか、或いは該面層内に埋め込まれるかに応じて、該補強インサート体の網状結合度は、面層の網状結合度よりも高く、又は低く、或いは等しく選ばれる。補強インサート体の埋め込みは、該補強インサート体を２つの面層間に埋め込むようにして行うこともできる。網状結合後に、収縮動作にとって決定的な延伸操作が次いで行われ、その場合の延伸操作は、後の時点で収縮が生じる方向に行われる。このような熱収縮可能な外装具を製造する場合、補強インサート体及び面層は先ず夫々別個に処理される。次いで貼合せが行われて１つの複合体が形成される。別の製造態様では、個々の層が互いに重ね合され、次いで該複合体に網状結合処理と延伸処理とが同時に施される。しかしながら面層であれ、補強インサート体であれ、個々の層の網状結合を前以てすでに行うこともできるので、その都度、適用例にとって最適の条件を作ることが可能である。収縮可能な外装具の場合、互いに向い合う縦方向縁部に沿って閉鎖エレメント、例えば閉鎖突起が装着されるか、又は一体に押出し成形される。延伸方向及び収縮方向は閉鎖エレメントに対して垂直な方向に延びている。外面層の表面には、熱安定性又は耐燃性を得るために網状結合処理を施すのが有利である。
【００１０】
このように構成した場合には収縮特性を最適に調整することが可能である。それというのは各層は、つまり面層も補強インサート体も共に、収縮に寄与するからである。補強インサート体の材料及び網状結合と延伸とによる材料処理に関して、場合によっては貼合せ前にすでに主収縮特性が明確に形成される場合には、慣用の受動的な補強インサート体が、収縮層の収縮を妨げないように構成されねばならないことから生じる従来周知の難点も回避される。付加的な網状結合を制御するために、所謂「収縮コンパウンド」内に、例えばトリアリルシアネート（ＴＡＣ）のような網状結合促進剤を混入することも可能である。
【００１１】
すでに述べた特性を有するプラスチックから成る格子の形の補強インサート体を使用する場合に前記の利点が得られる。前記格子は、交差する格子エレメントによって製作することができ、この場合長く延在した格子エレメントは多種多様の横断面並びに種々の太さ又は直径を有することができる。すなわち円形、楕円形、長方形、正方形、菱形又は多角形（例えば蜂の巣形）横断面をもった格子エレメントを使用することが可能である。格子エレメントは交点で固着して（伝力接続的に）互いに結合することができ、或いはルーズな交差を形成することもできる。交点における結合部は例えば接着、溶着又は圧潰によって製作することができる。また収縮可能な材料から成る面層に多数の穴を規則的又は不規則的に分配して穿設することによって、本発明に相応した格子構造を得ることも可能である。それというのは、この場合も、個々の格子エレメントから製作された格子の、長く延在した格子エレメントに相当する個々の格子エレメントが形成されるからである。
【００１２】
補強インサート体としての収縮可能な格子は、収縮方向を等しく作用させるように、単数又は複数の収縮可能な面層と固着結合させて複合体に形成される。しかしながら複数の補強インサート体を互いに重ねて複合体に纏めることも可能であり、この場合前記複数の補強インサート体は等方向に延在するように、或いは或る角度をずらして配置することもできる。後者の実施形態の場合には両補強インサート体は、個々の補強インサート体の合成収縮方向が面層の収縮方向と等しくなるように設けられる。
【００１３】
本発明による１つの複合体の場合の収縮値並びに機械的な強度値は、個々の層又は個々の補強インサート体の材料肉厚を互いに調和させることによって確定することもできる。従って個々の層を等しい肉厚又は異なった肉厚に構成しておくことも可能である。補強インサート体が純然たる格子形状である場合には、収縮方向に延在する格子エレメントは、例えば前記収縮方向に対して横方向に延びる格子エレメントよりも肉厚に構成することができる。それというのは、横方向に延びる格子エレメントは、収縮には関与しないからである、とは云え機械的には、機械的負荷による損傷から防護するため又は該損傷を制限するために重要である。
【００１４】
必要に応じて面層内には、横方向及び／又は縦方向に、ガラス繊維、ケブラー糸、木綿糸のような付加的な補強インサート体或いは、例えばポリプロピレンのような網状結合不能又は網状結合し難いその他の材料を埋め込むことも可能であるが、この付加的な補強インサート体はその場合、先に挙げた問題点を付随することになる。
【００１５】
少なくとも１つの面層内には、白蟻対抗性の添加剤を混入しておくことも可能である。
【００１６】
本発明による収縮可能な外装具のための複合体を構成するためには次の実施形態が賞用される。すなわち：
厚肉の収縮可能な外面層の内側に収縮可能な補強インサート体が装着されている。その場合補強インサート体の格子メッシュ又は多数の穴は、例えば熱可塑性プラスチック、熱可塑性重合体、ゴム弾性質材料又はそれらの混合物から成る充填材で塞がれている。
【００１７】
２層の収縮可能な面層間に補強インサート体が埋め込まれている。この場合も補強インサート体の格子メッシュ又は多数の穴は充填材で塞がれている。
【００１８】
収縮可能な外面層は内面層を有しており、該内面層は、該内面層と外面層との間に介在している補強インサート体の格子メッシュ又は多数の穴内へ入り込んでいる。
【００１９】
補強インサート体の格子メッシュ又は穴内へ入り込んでいる収縮可能な外面層と収縮可能な内面層が設けられている。
【００２０】
前記の実施形態では、例えば熱作用を受けた際の溶融流出又は滴下に対して外側表面を安定化させるためや、サーモインジケータなどのための層を付加的に設けることが可能である。
【００２１】
格子状補強インサート体の格子メッシュ領域又は穴領域を塞ぐための充填材は、延伸可能な材料、網状結合可能な材料又はゴム弾性質材料であってもよい。また前記充填のためには、プラスチック加工で周知になっているような膨張可能なプラスチック材料が適している。充填材は、有利には付加的な特性を有することもでき、かつ例えば温度フィルタとして、つまり相応の温度遮断作用を有する温度制限手段として役立つ。このために又、ゲル状材料、例えばシリコーン又はポリウレタンを使用することも可能である。該ゲル状材料は、薄い肉厚の場合、迅速に温暖化可能でありかつフレキシブルであり、しかもそれにも拘らず充分な機械的強度を有しているからである。該ゲル状材料も同じく温度フィルタとして、つまり相応の温度遮断作用を有する温度制限手段として使用することができる。またゴム弾性質の材料は、収縮動作時に容易に変形可能であるので、充填材として使用することもできる。
【００２２】
更に又、熱収縮可能な外装具のための本発明の基本的な複合体に、収縮動作時の充分な適温状態を表示するための相応の視覚的表示手段を装備することも本発明の構成要素である。
【００２３】
従って複合体の外表面に、充分な熱作用を受けた時に示現像を変色する、それ自体周知のサーモクロミー変色顔料を有することもできる。
【００２４】
外面層或いはまた別個の層は、格子状の補強インサート体を透視できる透明なプラスチック材料から成ることができる。ところで補強インサート体が、充分な熱作用を受けた際に例えば変色する材料から成っている場合には、相応の部位で収縮動作の終了可能時点を直接認識することが可能である。
【００２５】
互いに交差する個々の格子エレメントから格子状に構成した場合には、収縮動作時に膨隆が生じ、ひいては結節状の外側構造を生ぜしめるように格子の交点を構成することも可能である。その場合この構造は、目標温度において充分な温暖化が生じたことを表示する。
【００２６】
格子状の補強インサート体の格子メッシュ間又は穴間の材料適合性充填材が、熱を受けて発泡する材料から成っている場合も、類似の効果を生ぜしめることができる。その効果によって、或る構造パターンの表面が生じる。
【００２７】
更に又、差し当たっては不透明であるが、相応の給熱時に始めて透明になる外側被覆層を使用することも可能であり、従って透明化時には、この外側被覆層の下側に位置するインジケータ層又は面層を確認することができる。
【００２８】
両縦辺側に沿って延びるスリットと閉鎖エレメントとを有する外装具の場合には該スリット領域は、シールのための所謂「受け座」によってカバーされねばならないが、該受け座は、外装具の縦辺側に張出し突起として構成されているのが有利である。この場合、補強インサート体は外装具の一方の縦方向縁部に沿って張出し突起部として張出されるので、該張出し突起部は、前記スリットを内側から被覆することになる。このために複合支持体は、格子状補強インサート体と、該補強インサート体の格子メッシュ又は穴を塞ぐための充填層又は面層とから製作するのが有利である。
【００２９】
因みに補強インサート体内の格子メッシュ又は穴は、特に前記受け座の領域では接着剤貯蔵用のスペースを形成するので、内張り層の場合と同様に前記スリット領域における確実な接着とシールを保証することが可能になる。その場合の利点は、接着剤貯蔵部が存在しているので収縮時における接着剤の押し退け量が少なくなり、かつ、外装される物品、例えばケーブルに対する収縮力が減少しかつ均等化されることである。
【００３０】
【実施例】
次に図面に基づいて本発明の実施例を詳説する。
【００３１】
図１には、格子として構成された格子状補強インサート体ＶＥＧの構造が図示されている。該構造は、各交点Ｋで交差する個々の格子エレメントＧＥから成り、この場合は正方形格子メッシュＧＭが形成されている。補強インサート体ＶＥＧは収縮方向ＳＲでは収縮可能であるが、外装具の長手方向ＬＲ又は外装具の軸方向では収縮不能である。収縮を生ぜしめる補強インサート体ＶＥＧの延伸は複合と一緒に又は複合前に予め逆方向に行われる。
【００３２】
図２には、菱形格子メッシュＧＭＲを形成する格子状補強インサート体ＶＥＧが図示されている。また等形格子メッシュの格子状補強インサート体を又は不等形格子メッシュの格子状補強インサート体を互いにずらして挿入することも可能である。
【００３３】
図３では、個々の格子エレメントＧＥ間にほぼ円形又は楕円形格子メッシュＧＭＫを形成する補強インサート体の構成が図示されている。またこれと同様な方式で円形の格子エレメントだけを互いに列状に連接することも可能である。また前記のような格子形状を複数種選んで重畳させることも可能である。
【００３４】
図４には、補強インサート体ＶＥＦとして示した一方向に収縮可能な面層では、多数の穴Ｌを規則的な配列で穿設することによって、ここでは準格子が形成されているが、前記穴Ｌの配列は不規則であってもよく、或いは該穴を別の形状、例えば角形に構成しておくことも可能である。図４の場合、個々の穴Ｌ間に位置している材料ウェブが前記の格子エレメントＧＥに相当しているので、ここでも等しい関係が成立する。
【００３５】
図５に示した互いに重ねて配置された２つの格子状補強インサート体ＶＥＧ１及びＶＥＧ２では、両格子状補強インサート体は収縮方向に対して、ずらし角度ＶＷだけ互いにずらされている。このようにすれば両格子状補強インサート体は複合体全体内に材料応力を分布させ、従って裂損又は切断が生じた場合に該材料応力を低下させることになる。
【００３６】
図６では、個々の格子エレメントＧＥのために選ぶことのできる種々異なった横断面、例えば円形横断面ＫＱ、楕円形横断面ＯＱ、長方形横断面ＲＱ、正方形横断面ＱＱ又は菱形横断面ＲＡＱが図示されている。また多角形又は多辺形ＲＰを横断面形状として選ぶことも可能である。
【００３７】
次に説明する図７〜図１１の断面図には、外装具の複合体全体についての例が概略的に図示されている。
【００３８】
図７に図示した収縮可能な外面層ＦＳＡの内側面には、収縮可能な補強インサート体ＶＥが装着されており、しかも個々の格子メッシュ内には、該格子メッシュを塞ぐ充填材ＦＭが配置されている。
【００３９】
図８に図示した収縮可能な補強インサート体ＶＥは外面層ＦＳＡと内面層ＦＳＩとの間に配置されている。
【００４０】
図９に示した実施例では、収縮可能な補強インサート体ＶＥは、外面層ＦＳＡと固着接合された内面層ＦＳＩ内に埋め込まれている。その場合補強インサート体の格子メッシュ又は穴は、内面層ＦＳＩの材料で塞がれている。
【００４１】
図１０では、収縮可能な外面層ＦＳＡ内に埋め込まれた収縮可能な補強インサート体ＶＥが図示されており、しかも該補強インサート体の格子メッシュ又は穴は、前記外面層ＦＳＡの材料で塞がれている。外面層ＦＳＡの内側面には内面層ＦＳＩが装着されている。
【００４２】
図１１に示した最も単純な実施例では、収縮可能な補強インサート体ＶＥは単一の面層ＦＳ内に埋め込まれている。
【００４３】
図１２では、外装具の基礎的な複合体に更に別の付加層ＺＳをも装着可能であることが図示されており、この場合該付加層ＺＳは別の目的のために設けられている。斯かる付加層ＺＳは例えば、収縮動作のために充分な熱が供給されているか否か、又は該熱の供給時点を示す視覚的表示のために使用される。該付加層は例えばサーモクロミー変色顔料から成っている。
【００４４】
図１３では、外面層内、この場合は透明外面層ＦＡＴ内に挿入された変色インジケータＵＩが示されており、該変色インジケータは例えば、充分な熱が供給された場合に、その色を変色する。透明な外面層によってこの変色現象を観察することが可能である。
【００４５】
図１４では、外装具の長手方向に延在する両縦方向縁部が閉鎖成形部ＶＰを有し、物品を外装した後に前記閉鎖成形部ＶＰによって前記縦方向縁部は閉鎖状態に纏めて保持され、その場合の保持は、被せ嵌められたＣ形閉鎖レールによって行われる。外装具ＵＨの複合体全体は、埋め込まれた収縮可能な補強インサート体ＶＥを内蔵している。前記の一方の縦方向縁部に沿って張出し突起部が形成されており、該張出し突起部は、閉鎖域を架橋して被覆するための受け座ＵＴとして設けられている。
【００４６】
図１５では、格子状の補強インサート体ＶＥＶを独自の格子複合体としても使用できることが図示されている。すなわち該格子状補強インサート体ＶＥＶは少なくとも受け座ＵＴの領域内に外面層ＦＳＡを有し、これによって格子メッシュ又は穴がシールされている。前記格子複合体としての格子状補強インサート体ＶＥＶと外面層ＦＳＡとの間の注型は、図７〜図１３に示したように行われる。
【００４７】
図１６では本発明による外装具ＵＨが閉鎖状態で図示されており、しかもこの図示から明らかな通り、両閉鎖成形部ＶＰは閉鎖のために組合わされ、図示を省いた閉鎖レールによって纏めて保持される。受け座ＵＴは閉鎖域の縦方向閉鎖縁部を密封被覆し、その場合該密封は、外装具の内面に装着された溶融接着剤層によって保証される。
【００４８】
また前記補強インサート体は射出成形部品または打抜き成形部品として製造することができるが、この場合「ジグザグ」エレメントの接合時に生じるような、同一平面内で接し合う格子エレメントから成る格子状構造も使用することが可能である。
【００４９】
網状結合は高エネルギ照射法によって、或いは過酸化物添加法又は化学添加法（シラン）によって行われ、この場合、前記の両方法のコンビネーションも可能である。例えばそれ自体周知のシラン網状結合を実施することも可能である。
【００５０】
就中、熱収縮外装具のためには、面層にも補強インサート体にも使用可能な下記の材料が適している。すなわち：
高密度ポリエチレン（ＨＤＰＥ）
低密度ポリエチレン（ＬＤＰＥ）
線状低密度ポリエチレン（ＬＬＤＰＥ）
エチレン共重合体／三元共重合体を含んだ線状低密度ポリエチレン（ＬＬＤＰＥ）
ＨＤＰＥ／ＬＤＰＥ／ＬＬＤＰＥから成るコンパウンド
エチレン共重合体／三元共重合体から成るコンパウンドである。
【図面の簡単な説明】
【図１】正方形格子メッシュを有する格子状の補強インサート体の基本構造の概略平面図である。
【図２】菱形格子メッシュを有する格子状の補強インサート体の基本構造の概略平面図である。
【図３】楕円形格子メッシュを有する格子状の補強インサート体の基本構造の概略平面図である。
【図４】多数の穴を穿設した面層から成る補強インサート体の概略図である。
【図５】互いに角度のずらされた２つの格子状の補強インサート体の配列図である。
【図６】個々の格子エレメントのために採用される６種の異なった横断面形を示す図である。
【図７】表面層と補強インサート体とから成る複合体の可能態様の断面図である。
【図８】表面層と補強インサート体とから成る複合体の可能態様の断面図である。
【図９】表面層と補強インサート体とから成る複合体の可能態様の断面図である。
【図１０】表面層と補強インサート体とから成る複合体の可能態様の断面図である。
【図１１】表面層と補強インサート体とから成る複合体の可能態様の断面図である。
【図１２】付加層を有する外装具の断面図である。
【図１３】可視的な表示インジケータを有する外装具の断面図である。
【図１４】閉鎖成形部を有する外装具の概略図である。
【図１５】閉鎖成形部及び複合体として構成された補強インサート体を有する外装具の概略図である。
【図１６】物品を外装するために閉鎖された本発明の外装具の概略図である。
【符号の説明】
ＶＥＧ，ＶＥＧ１，ＶＥＧ２    格子状補強インサート体、  Ｋ    交点、  ＧＥ    格子エレメント、  ＧＭ    正方形格子メッシュ、  ＳＲ    収縮方向、  ＬＲ    外装具の長手方向又は軸方向、  ＧＭＲ    菱形格子メッシュ、  ＧＭＫ    楕円形格子メッシュ、  Ｌ    穴、  Ｌ    穴、  ＶＥＦ    面層状の補強インサート体、  ＶＷ    ずらし角度、  ＫＱ    円形横断面、  ＯＱ  楕円形横断面、  ＲＱ    長方形横断面、  ＱＱ    正方形横断面、  ＲＡＱ菱形横断面、  ＲＰ    多角形又は多辺形、  ＦＳＡ    外面層、  ＦＳＩ内面層、  ＶＥ    補強インサート体、  ＦＭ    充填材、  ＦＳ    単一面層、  ＺＳ    付加層、  ＦＡＴ    透明な外面層、  ＵＩ    変色インジケータ、  ＶＰ    閉鎖成形部、  ＵＴ    受け座、  ＶＥＶ    格子状の補強インサート体、  ＵＨ    外装具
【図１】
0003877242.tif 000002
【図２】
0003877242.tif 000003
【図３】
0003877242.tif 000004
【図４】
0003877242.tif 000005
【図５】
0003877242.tif 000006
【図６】
0003877242.tif 000007
【図７】
0003877242.tif 000008
【図８】
0003877242.tif 000009
【図９】
0003877242.tif 000010
【図１０】
0003877242.tif 000011
【図１１】
0003877242.tif 000012
【図１２】
0003877242.tif 000013
【図１３】
0003877242.tif 000014
【図１４】
0003877242.tif 000015
【図１５】
0003877242.tif 000016
【図１６】
0003877242.tif 000017